(57)【特許請求の範囲】
【請求項１】
測定物に含まれる測定対象成分を検出するセンサと、前記センサの種類を検出するための複数の負荷素子を含む種類検出用回路と、が搭載されたセンサ基板と、
前記センサ基板を収容する収容手段と、
を備え、
前記複数の負荷素子を接続するパターン配線のうち、前記センサの種類に対応して予め設けられた複数の切断対象箇所が前記収容手段から露出されている
センサカートリッジ。
【請求項２】
前記複数の切断対象箇所の各々に、前記センサの種類に対応するマーク及び識別符号の少なくとも一方が設けられている
請求項１記載のセンサカートリッジ。
【請求項３】
前記複数の負荷素子は、前記収容手段に収容され、非露出状態とされている
請求項１又は請求項２記載のセンサカートリッジ。
【請求項４】
前記パターン配線が設けられた前記センサ基板の一方の面と反対側の他方の面に設けられた複数の電極端子が前記収容手段から露出されている
請求項１〜３の何れか１項に記載のセンサカートリッジ。
【請求項５】
前記センサは、前記測定物としての尿に含まれる前記測定対象成分としての糖分を検出するバイオセンサである
請求項１〜４の何れか１項に記載のセンサカートリッジ。
【請求項６】
請求項１〜５の何れか１項に記載のセンサカートリッジと、
前記センサカートリッジと着脱可能であり、前記センサにより検出された測定対象成分を表示する表示手段を備えた本体部と、
を備えた測定装置。
【発明の詳細な説明】
【技術分野】
【０００１】
本発明は、センサカートリッジ及び測定装置に関する。
【背景技術】
【０００２】
従来、グルコースセンサ等のバイオセンサにより尿糖を測定する尿糖計が種々提案されている（例えば特許文献１参照）。特許文献１に記載された尿糖計は、バイオセンサを備えたセンサカートリッジを尿糖計本体から着脱可能な構成となっており、センサカートリッジが寿命の場合はセンサカートリッジを交換可能となっている。
【０００３】
また、出力特性が異なる複数種類のセンサカートリッジを同じ尿糖計本体に装着して使用できるようにする場合、尿糖計本体側では、装着されたセンサカートリッジの種類を判別し、判別した種類に応じた制御を行う必要がある。
【０００４】
バイオセンサは同一ロット内であっても製造環境等の影響により感度がばらつきやすく、精度良く複数種類のバイオセンサを製造するのは困難である。このため、従来では、バイオセンサの出力特性を測定し、測定した出力特性に応じてセンサカートリッジの種類を決定し、決定した種類に応じた抵抗等を搭載することにより、尿糖計本体側で複数種類のセンサカートリッジの判別を可能としていた。
【先行技術文献】
【特許文献】
【０００５】
【特許文献１】特開２０１３−２５７３３９号公報
【発明の概要】
【発明が解決しようとする課題】
【０００６】
しかしながら、バイオセンサの出力特性を測定した後の工程において抵抗等を搭載するのは、製造工程が複雑になり好ましくない。特に、バイオセンサの出力特性を測定するのは、センサカートリッジの製造後、すなわち最終製品の状態で行うことが好ましいが、センサカートリッジを製造後に出力特性を測定し、その後抵抗等の素子を搭載するのは製造工程が複雑となる。
【０００７】
本発明は、出力特性が異なる複数種類のセンサカートリッジを簡易な製造工程で製造することができるセンサカートリッジ及び測定装置を提供することを目的とする。
【課題を解決するための手段】
【０００８】
上記課題を解決するため、請求項１記載の発明のセンサカートリッジは、測定物に含まれる測定対象成分を検出するセンサと、前記センサの種類を検出するための複数の負荷素子を含む種類検出用回路と、が搭載されたセンサ基板と、前記センサ基板を収容する収容手段と、を備え、前記複数の負荷素子を接続するパターン配線のうち、前記センサの種類に対応して予め設けられた複数の切断対象箇所が前記収容手段から露出されている。
【０００９】
請求項２記載の発明は、前記複数の切断対象箇所の各々に、前記センサの種類に対応するマーク及び識別符号の少なくとも一方が設けられている。
【００１０】
請求項３記載の発明は、前記複数の負荷素子は、前記収容手段に収容され、非露出状態とされている。
【００１１】
請求項４記載の発明は、前記パターン配線が設けられた前記センサ基板の一方の面と反対側の他方の面に設けられた複数の電極端子が前記収容手段から露出されている。
【００１２】
請求項５記載の発明は、前記センサは、前記測定物としての尿に含まれる前記測定対象成分としての糖分を検出するバイオセンサである。
【００１３】
請求項６記載の発明の測定装置は、請求項１〜５の何れか１項に記載のセンサカートリッジと、前記センサカートリッジと着脱可能であり、前記センサにより検出された測定対象成分を表示する表示手段を備えた本体部と、を備える。
【発明の効果】
【００１４】
本発明によれば、出力特性が異なる複数種類のセンサカートリッジを簡易な製造工程で製造することができる、という効果を有する。
【図面の簡単な説明】
【００１５】
【図１】尿糖計本体とセンサカートリッジとが分離した状態を示す平面図である。
【図２】尿糖計がスタンドに挿入された状態を示す外観図である。
【図３】尿糖計の電気系の構成を示すブロック図である。
【図４】尿糖計本体の表示装置の表示の一例を示す図である。
【図５】センサ基板の一方の面の一部拡大図である。
【図６】センサ基板の他方の面の一部拡大図である。
【図７】種類検出用回路の回路図である。
【図８】変形例に係る種類検出用回路の回路図である。
【発明を実施するための形態】
【００１６】
以下、本発明の実施形態について説明する。本実施形態では、本発明を家庭用デジタル尿糖計に適用した場合について説明する。なお、一般家庭で使用可能なデジタル尿糖計は、既に市販されており、また、様々なデジタル尿糖計が多くの特許出願で既に提案されている。本発明を適用した家庭用デジタル尿糖計において、尿糖測定に係る部分は従来公知のものであるため、尿糖測定に係る詳細な説明は省略する。
【００１７】
図１及び図２には、本実施形態に係る尿糖計１０の外観図を示した。図１に示すように、尿糖計１０は、センサカートリッジ１２及び尿糖計本体１４を備える。
【００１８】
センサカートリッジ１２は、測定物としての尿に含まれる測定対象成分としての糖分（以下、尿糖）を電気化学的に検出する。
【００１９】
尿糖計本体１４は、センサカートリッジ１２により検出された尿糖に基づいて尿糖の濃度を測定し、測定結果を表示装置１６に表示する。
【００２０】
図１、２に示すように、センサカートリッジ１２は、尿糖計本体１４と着脱可能である。このため、センサカートリッジ１２の寿命が到来した場合には、センサカートリッジ１２のみ交換し、尿糖計本体１４はそのまま継続して使用することができる。
【００２１】
図２に示すように、尿糖計１０を使用しない場合は、磁石１８を有するスタンド２０にセンサカートリッジ１２を挿入することにより尿糖計１０を保管できるようになっている。また、スタンド２０は、図示は省略するが、保存液を入れたボトルを内蔵している。そして、尿糖計１０をスタンド２０に正しく挿入した場合に、センサカートリッジ１２の先端部分に設けられた尿糖バイオセンサ２２及びサーミスタ２４が、ボトル内の保存液に浸漬されるように構成されている。
【００２２】
図３には、尿糖計１０の電気系のブロック図を示した。図３に示すように、センサカートリッジ１２は、尿糖バイオセンサ２２、サーミスタ２４、コネクタ２８、及び種類検出用回路３０を備えている。
【００２３】
また、尿糖計本体１４は、スタンド検出リードスイッチ２６、表示装置１６、電源３４、操作ボタン３６（３６Ａ、３６Ｂ）、Ｄ／Ａ変換器３８、センサ駆動回路４０、Ａ／Ｄ変換器４２、ブザー４４、外部入出力インターフェイス端子４６、コネクタ４８、及びマイクロコンピュータ５０を備えており、これらは図１に示すハウジング５２内に収容されている。
【００２４】
尿糖バイオセンサ２２は寿命があり、使用限度に達すると表示装置１６にバイオセンサ交換の旨の表示がなされる。その場合、使用者はセンサカートリッジ１２を尿糖計本体１４から取り外し、新しいセンサカートリッジ１２を尿糖計本体１４に取り付ける。センサカートリッジ１２と尿糖計本体１４は電気的に接続されるので、交換に際してはセンサカートリッジ１２のコネクタ２８を尿糖計本体１４のコネクタ４８に容易に接続できることが好ましい。また、センサカートリッジ１２には尿や洗浄水が掛けられるので、センサカートリッジ１２と尿糖計本体１４との接続部は防水性を有する必要があり、その防水性はセンサカートリッジ１２を何度交換しても常に維持されることが好ましい。
【００２５】
また、尿糖計本体１４に内蔵された電池の寿命が到来した場合、新しい電池と交換する必要があるが、電池を尿糖計本体１４から容易に取り出せると共に、新しい電池を尿糖計本体１４に容易に装着できることが好ましい。
【００２６】
尿糖バイオセンサ２２は、尿中の夾雑物質の影響を排除して、低濃度から高濃度までの広範囲に亘る尿糖の濃度を検出する。尿糖バイオセンサ２２は、酵素を主な材料とした尿成分検知用のバイオセンサである。サーミスタ２４は、測定の際における尿の温度を検出し、尿糖バイオセンサ２２の温度特性を補正するためのものである。
【００２７】
スタンド検出リードスイッチ２６は、スタンド２０に尿糖計１０を収納したときに、磁石１８による磁場の影響で例えばオフ状態（又はオン状態）になる。マイクロコンピュータ５０は、スタンド検出リードスイッチ２６がオフ状態（又はオン状態）となった場合は、電力消費を極力少なくするために表示装置１６をオフ状態にしたり、クロック周波数を大幅に低下させたりする等の省電力制御を実行する。なお、マイクロコンピュータ５０は、省電力制御を実行した場合でも完全なスリープ状態にはならず、本発明に係る機能を実現するために必要な機能の実行は可能である。
【００２８】
スタンド２０から尿糖計１０を取り出すと、スタンド検出リードスイッチ２６は磁石１８による磁場の影響下から離脱して、オン状態（又はオフ状態）になる。マイクロコンピュータ５０は、スタンド検出リードスイッチ２６がオン状態（又はオフ状態）になった場合は、尿糖計１０の全機能を回復させ、モード設定、較正、及び尿糖の濃度測定等の各機能の実行が可能な状態にする。
【００２９】
電源３４は、電池であり、尿糖計１０の電気系の各部に電力を供給する。
【００３０】
操作ボタン３６（３６Ａ、３６Ｂ）は、モードや食事内容を選択して設定登録したり、較正したりするためのものである。
【００３１】
Ｄ／Ａ変換器３８は、マイクロコンピュータ５０からのデジタル信号（駆動信号）をアナログ信号（駆動信号）に変換して出力する。
【００３２】
センサ駆動回路４０は、Ｄ／Ａ変換器３８からの駆動信号に基づいて尿糖バイオセンサ２２に駆動信号を供給するとともに、尿糖バイオセンサ２２で検出された検出信号を受けてＡ／Ｄ変換器４２に出力する。
【００３３】
Ａ／Ｄ変換器４２は、センサ駆動回路４０からのアナログ信号（検出信号）をデジタル信号（検出信号）に変換して出力する。
【００３４】
ブザー４４は、マイクロコンピュータ５０からの信号に基づいて、例えば尿糖測定をする旨を報知するためのブザー音を発生する。
【００３５】
表示装置１６は、マイクロコンピュータ５０からの信号に基づいて、較正の状況、測定の状況、バイオセンサ交換の告知、電池交換の告知、尿糖測定結果の告知、及び判定結果の告知等を表示する。
【００３６】
具体的には、図４に示すように、「基準あわせ」及びその上の水滴マークを較正時に点灯することによって較正の状況を表示する。また、「準備中」、「測定」、「洗浄」、及び「終了」の何れかを測定過程中に点灯することによって測定の状況を表示する。更に、尿糖バイオセンサ２２の交換時期に「センサ交換」を点灯することによってセンサカートリッジ１２の交換の告知を表示する。更に、交換時期に「センサ交換」の右側の電池マークを点灯することによって電池交換の告知を表示する。更に、中央に「１３４７」と例示してある４桁の数字にて尿糖変化値、基準尿糖変化値、及び通常尿糖変化値を各々の測定後に点灯することによって尿糖測定結果の告知を表示する。更に、画面右側の３つの三角マークのうちハウジング５２に印刷された判定内容（「良好」、「やや高い」等」に該当する位置の三角マークを各々の判定後に点灯することによって選択モードの状況を表示する。
【００３７】
外部入出力インターフェイス端子４６は、マイクロコンピュータ５０内の外部入出力インターフェイス５４をパーソナルコンピュータ等の外部機器（不図示）と接続するためのものであり、マイクロコンピュータ５０と外部機器との間で各種データの通信を行うためのものである。なお、各種データとしては、例えば外部機器からの入力データや尿糖計１０からの尿糖測定結果、判定結果等の出力データ等が挙げられる。
【００３８】
センサカートリッジ１２のコネクタ２８と尿糖計本体１４のコネクタ４８とが接続されると、尿糖バイオセンサ２２がセンサ駆動回路４０に接続され、サーミスタ２４、及び種類検出用回路３０が、マイクロコンピュータ５０のそれぞれ対応するポートに接続されて、センサカートリッジ１２と尿糖計本体１４との間が電気的に接続される。種類検出用回路３０は、マイクロコンピュータ５０においてコネクタ２８とコネクタ４８とが接続状態となっているか否か及び尿糖バイオセンサ２２の種類を検出するための回路である。種類検出用回路３０の詳細は後述する。
【００３９】
マイクロコンピュータ５０は、外部入出力インターフェイス５４、制御装置５６、ＲＯＭ５８、ＲＡＭ６０、クロック６２、補助記憶装置６４、及び電気系の各部につながるポート（不図示）を備える。
【００４０】
外部入出力インターフェイス５４は、パーソナルコンピュータ等の外部機器と各種データの通信をする。制御装置５６は、尿糖値の測定に関する各種処理を実行する。ＲＯＭ５８は、制御プログラム等を記憶する。ＲＡＭ６０は、演算結果及び外部から読み込んだプログラム等を一時的に記憶する。クロック６２は、各種の報知を実行するために時間を計測する。補助記憶装置６４は、選択されたモードや食事内容、各種尿糖値、判定結果等を更新されるまで記憶する。
【００４１】
マイクロコンピュータ５０は、例えば食直前尿糖値・食後尿糖値・基準食前尿糖値・基準食後尿糖値・通常食前尿糖値・通常食後尿糖値を測定すべき旨の報知、食前尿糖値・食直前尿糖値・食後尿糖値・基準食前尿糖値・食直前尿糖値・基準食後尿糖値・通常食前尿糖値・通常食直前尿糖値・通常食後尿糖値の測定、尿糖変化値（食後尿糖値と食直前尿糖値との差）・基準尿糖変化値（基準食後尿糖値と基準食直前尿糖値との差）・通常尿糖変化値（通常食後尿糖値と通常食直前尿糖値との差）・食差尿糖変化値（通常尿糖変化値と基準尿糖変化値との差）の演算、尿糖変化値に基づいた身体内の糖量変化の可否についての判定、食差尿糖変化値に基づいた通常の食事内容の可否についての判定、及びこれら演算・判定結果の出力に関する制御を実行する。
【００４２】
尿糖バイオセンサ２２、サーミスタ２４、コネクタ２８、及び種類検出用回路３０は、図１に示すセンサ基板７０上に搭載されている。センサ基板７０は、ハウジング３２に収容されており、センサ基板７０の一部がハウジング３２から露出されている。
【００４３】
図５には、ハウジング３２から露出されたセンサ基板７０の一方の面の一部拡大図を示した。図５に示すように、センサ基板７０の一方の面には、本実施形態では一例として検出ポートＸ１と検出ポートＸ２との間に３個の抵抗Ｒ１、Ｒ２、Ｒ３を含む種類検出用回路３０が搭載されている。そして、３個の抵抗Ｒ１、Ｒ２、Ｒ３を接続するパターン配線７２のうち、尿糖バイオセンサ２２の種類に対応して予め設けられた複数の切断対象箇所７２ａ、７２ｂ、７２ｃがハウジング３２から露出されている。一方、抵抗Ｒ１、Ｒ２、Ｒ３はハウジング３２内に収容されており、非露出状態とされている。
【００４４】
また、複数の切断対象箇所７２ａ、７２ｂ、７２ｃには、切断対象箇所を表すマーク７４ａ、７４ｂ、７４ｃと、センサカートリッジ１２の種類に対応した識別符号７６ａ、７６ｂ、７６ｃと、が基板上に設けられている。なお、図５の例では破線で表した円をマークとして用いたが、マークの形状等はこれに限られるものではなく、切断対象箇所を容易に認識できるものであればよい。また、図５の例ではアルファベットの「ａ」、「ｂ」、「ｃ」の文字を識別符号として用いたが、識別符号はこれに限られるものではなく、センサカートリッジ１２の種類を容易に識別できるものであればよい。
【００４５】
図６には、センサ基板７０の他方の面の一部拡大図を示した。図６に示すように、センサ基板７０の他方の面には、複数（図６の例では８個）の電極端子７８−１〜７８−８が形成されており、これらの電極端子はハウジング３２から露出されている。
【００４６】
センサカートリッジ１２が尿糖計本体１４に接続されると、電極端子７８−１〜７８−３は尿糖バイオセンサ２２に接続され、電極端子７８−４、７８−５はサーミスタ２４に接続され、電極端子７８−５、７８−６は検出ポートＸ１、Ｘ２にそれぞれ接続され、電極端子７８−８は尿糖計本体１４のグランド端子に接続される。
【００４７】
図７には、種類検出用回路３０の回路図を示した。種類検出用回路３０は、本実施形態では一例として抵抗Ｒ１、Ｒ２、Ｒ３を並列接続した並列回路である。検出ポートＸ１、Ｘ２は、マイクロコンピュータ５０の対応するポートに各々接続されている。
【００４８】
マイクロコンピュータ５０は、検出ポートＸ１、Ｘ２に電圧を印加して検出ポートＸ１、Ｘ２間を流れる電流を検出し、当該検出した電流の電流値と、印加した電圧の電圧値と、に基づいて検出ポートＸ１、Ｘ２間の抵抗値を算出することにより、尿糖バイオセンサ２２の種類、すなわちセンサカートリッジ１２の種類を検出する。例えば切断対象箇所７２ａのみを切断した場合、種類検出用回路３０の合成抵抗値は抵抗Ｒ２、Ｒ３の抵抗値から求められる。また、例えば切断対象箇所７２ｂのみを切断した場合、種類検出用回路３０の合成抵抗値は抵抗Ｒ１の抵抗値となる。また、例えば切断対象箇所７２ｃのみを切断した場合、種類検出用回路３０の合成抵抗値は抵抗Ｒ１、Ｒ２の抵抗値から求められる。また、切断対象箇所７２ａ、７２ｃを切断した場合、種類検出用回路３０の合成抵抗値は抵抗Ｒ２の抵抗値となる。従って、図５、６に示すように、切断対象箇所を切断対象箇所７２ａ、７２ｂ、７２ｃの３カ所とした場合、尿糖計本体１４では、４種類のセンサカートリッジ１２を判別することが可能となり、判別されたセンサカートリッジ１２の種類に応じた制御を実行することが可能となる。
【００４９】
図５に示すように、本実施形態に係るセンサカートリッジ１２は、３個の抵抗Ｒ１、Ｒ２、Ｒ３を接続するパターン配線７２のうち、尿糖バイオセンサ２２の種類に対応して予め設けられた複数の切断対象箇所７２ａ、７２ｂ、７２ｃがハウジング３２から露出された構成となっている。センサカートリッジ１２の製造工程では、センサ基板７０がハウジング３２に収容された最終製品の状態で尿糖バイオセンサ２２の出力特性を測定する。ここで、出力特性とは、尿糖バイオセンサ２２で検出された尿糖値と、当該尿糖値に応じたセンサカートリッジ１２の出力値（電流値）との対応関係を表す特性である。測定された出力特性に応じて、すなわち尿糖バイオセンサ２２の種類に応じて切断対象箇所７２ａ、７２ｂ、７２ｃのうち、どの切断対象箇所を切断するかを決定する。そして、決定した切断対象箇所のパターン配線を例えばルーター式切断機等で切断する。
【００５０】
具体的には、センサカートリッジ１２の出力特性を測定した結果、例えばセンサカートリッジ１２の出力値の範囲が５（ｎＡ）以上で且つ１５（ｎＡ）未満の場合は、そのセンサカートリッジ１２の種類は、測定範囲が０〜２０００（ｍｇ／ｄｌ）の尿糖計及び測定範囲が２００〜５０００（ｍｇ／ｄｌ）の尿糖計の両方に使用可能な種類Ａとする。また、例えばセンサカートリッジ１２の出力値の範囲が１５（ｎＡ）以上で且つ３５（ｎＡ）以下の場合は、そのセンサカートリッジ１２は、測定範囲が０〜２０００（ｍｇ／ｄｌ）の尿糖計にのみ使用可能な種類Ｂとする。さらに、尿糖バイオセンサ２２には、乾式及び湿式の２種類があるので、センサカートリッジ１２の種類は、乾式の種類Ａ、Ｂ、湿式の種類Ａ、Ｂの４種類に分けられる。従って、これら４種類のうち、どの種類のセンサカートリッジ１２であるかに応じて切断対象箇所を決定する。
【００５１】
このように、抵抗Ｒ１、Ｒ２、Ｒ３を接続するパターン配線７２のうち切断対象箇所７２ａ、７２ｂ、７２ｃがハウジング３２から露出しているため、センサ基板７０をハウジング３２に収容した後の最終製品の状態で尿糖バイオセンサ２２の出力特性を測定し、センサカートリッジ１２の種類を判別することができる。このため、尿糖バイオセンサ２２の出力特性を測定した後にセンサカートリッジ１２の種類を判別するための抵抗を搭載したりする必要が無く、製造工程が複雑になるのを防ぐことができる。
【００５２】
また、電極端子７８−１〜７８−８もハウジング３２から露出されているため、尿糖バイオセンサ２２の出力特性を更に測定しやすくなると共に、尿糖計本体１４との接続も容易となる。
【００５３】
一方、抵抗Ｒ１、Ｒ２、Ｒ３はハウジング３２内に収容されて非露出状態となっているため、切断対象箇所を切断する際に抵抗Ｒ１、Ｒ２、Ｒ３を破損させたりするのを防ぐことができる。
【００５４】
また、切断対象箇所を表すマーク７４ａ、７４ｂ、７４ｃと、センサカートリッジ１２の種類に対応した識別符号７６ａ、７６ｂ、７６ｃと、が基板上に設けられているため、どの切断対象箇所を切断すればよいかを容易に認識することができる。
【００５５】
なお、切断対象箇所を表すマーク及び識別符号の何れかのみを基板上に設けるようにしてもよい。
【００５６】
また、パターン配線７２の切断対象箇所は、図７に示す箇所に限定されるものではない。例えば、切断対象箇所７２ｂに代えて切断対象箇所７２ｄとしてもよい。この場合、種類検出用回路３０の合成抵抗値は、切断対象箇所７２ａのみを切断した場合、切断対象箇所７２ｂのみを切断した場合、切断対象箇所７２ｄのみを切断した場合、切断対象箇所７２ａ、７２ｂを切断した場合、切断対象箇所７２ａ、７２ｄを切断した場合、切断対象箇所７２ｃ、７２ｂを切断した場合、切断対象箇所７２ａ、７２ｃ、７２ｄの何れも切断しない場合の７種類となるため、尿糖計本体１４側では、７種類のセンサカートリッジ１２を判別することが可能となる。
【００５７】
また、図７の例では、種類検出用回路３０を抵抗Ｒ１、Ｒ２、Ｒ３の並列回路としたが、例えば図８に示したように、種類検出用回路３０を抵抗Ｒ１、Ｒ２、Ｒ３の直列回路としてもよい。この場合、種類検出用回路３０の合成抵抗値は、切断対象箇所７２ａのみを切断した場合、切断対象箇所７２ｂのみを切断した場合、切断対象箇所７２ｃのみを切断した場合、切断対象箇所７２ａ、７２ｂを切断した場合、切断対象箇所７２ａ、７２ｃを切断した場合、切断対象箇所７２ｂ、７２ｃを切断した場合、切断対象箇所７２ａ、７２ｂ、７２ｃを切断した場合、の７種類となるため、尿糖計本体１４側では、７種類のセンサカートリッジ１２を判別することが可能となる。
【００５８】
なお、図７の並列回路、図８の直列回路の何れにおいても、検出ポートＸ１、Ｘ２をショートさせることにより、すなわち検出ポートＸ１、Ｘ２が接続された電極端子７８−５、７８−６をショートさせることにより、更にもう１種類のセンサカートリッジ１２を判別可能としてもよい。
【００５９】
また、本実施形態では、種類検出用回路３０を構成する負荷素子として抵抗を用いた場合について説明したが、コンデンサ、コイル等の他の負荷素子を用いてもよく、異なる種類の負荷素子を適宜組み合わせて種類検出用回路３０を構成してもよい。
【００６０】
また、本実施形態では、測定物に含まれる測定対象成分を検出するセンサとして、尿に含まれる糖分を検出するバイオセンサを備えたセンサカートリッジ及び尿糖計に本発明を適用した場合について説明したが、これに限られるものではない。
【００６１】
例えば、呼気中に含まれるアルコール成分を検出するアルコールセンサを備えたセンサカートリッジ及びアルコール測定装置に本発明を適用してもよい。また、グルコースセンサ、ブレスチェッカー、塩分計等に本発明を適用してもよい。すなわち、センサに寿命があり、交換可能なセンサカートリッジ及び測定装置であれば本発明を適用可能である。
【符号の説明】
【００６２】
１０   尿糖計
１２   センサカートリッジ
１４   尿糖計本体
１６   表示装置
２２   尿糖バイオセンサ
３０   種類検出用回路
３２   ハウジング
７０   センサ基板
７２   パターン配線
７２ａ、７２ｂ、７２ｃ      切断対象箇所
７４ａ、７４ｂ、７４ｃ      マーク
７６ａ、７６ｂ、７６ｃ      識別符号
Ｒ１、Ｒ２、Ｒ３     抵抗
Ｘ１、Ｘ２    検出ポート
【図１】
0006315200.tif 000002
【図２】
0006315200.tif 000003
【図３】
0006315200.tif 000004
【図４】
0006315200.tif 000005
【図５】
0006315200.tif 000006
【図６】
0006315200.tif 000007
【図７】
0006315200.tif 000008
【図８】
0006315200.tif 000009